(57)【要約】【課題】外装筐体の小型化が図れるとともに、外装筐体の設計の自由度を向上できるプロジェクターを提供する。【解決手段】プロジェクター１を構成する排気装置４は、内部に空気を流通させるダクト６と、外周に複数の羽根５１Ａが一体化され所定の回転軸ＲＡｘを中心として回転する羽根車５１、及び羽根車５１を回転可能に軸支する軸支部材５２を有するファン本体５とを備える。軸支部材５２は、回転軸ＲＡｘから離間する方向に延び、ダクト６に取り付けられる複数の腕部５２２を有する。羽根車５１は、複数の腕部５２２がダクト６に取り付けられることで、ダクト６内部に配設される。【選択図】図５
2010210719.tif 000002
【特許請求の範囲】
【請求項１】
外装を構成する外装筐体と、空気を吸入及び吐出する冷却装置とを備えたプロジェクターであって、
前記冷却装置は、
内部に空気を流通させるダクトと、
外周に複数の羽根が一体化され所定の回転軸を中心として回転する羽根車、及び前記羽根車を回転可能に軸支する軸支部材を有するファン本体とを備え、
前記軸支部材は、
前記回転軸から離間する方向に延び、前記ダクトに取り付けられる複数の腕部を有し、
前記羽根車は、
前記複数の腕部が前記ダクトに取り付けられることで、前記ダクト内部に配設される
ことを特徴とするプロジェクター。
【請求項２】
請求項１に記載のプロジェクターにおいて、
前記ダクトは、
空気の吸入側に配設される吸入側ダクトと、
空気の吐出側に配設される吐出側ダクトとを備え、
前記複数の腕部は、
前記吸入側ダクト及び前記吐出側ダクトに挟持される
ことを特徴とするプロジェクター。
【請求項３】
請求項１または請求項２に記載のプロジェクターにおいて、
前記冷却装置は、
前記外装筐体における互いに隣接する各側壁部に沿って配設されている
ことを特徴とするプロジェクター。
【発明の詳細な説明】
【技術分野】
【０００１】
本発明は、プロジェクターに関する。
【背景技術】
【０００２】
従来、プロジェクターにおいて、冷却ファンを有する冷却装置により、外装筐体内部の空気を吸入して外部に排出し、外装筐体内部の温度上昇を防止する構成が知られている（例えば、特許文献１参照）。
特許文献１に記載の冷却装置（排気機構）は、軸流ファンと、軸流ファンにおける空気の吸入側及び吐出側にそれぞれ配設される内部ダクト及び排気ダクトとで構成されている。
ここで、軸流ファンは、一般的に、複数の羽根が外周に一体化された羽根車、及び所定の回転軸を中心として羽根車を回転可能に軸支する軸支部材を有するファン本体と、ファン本体を収納するケーシングとを備える。
より具体的に、ケーシングは、特許文献１にも記載されているように、前記回転軸に沿って空気を流通させる平面視円形状の開口部を有する矩形枠状に形成され、前記軸支部材が取り付けられることで、前記開口部内部に羽根車が収納される。
そして、内部ダクトや排気ダクトとしては、軸流ファンが前記開口部を介して空気を吸入及び吐出するため、前記開口部の形状に合わせて略円筒形状に形成されている。
すなわち、冷却装置を組み合わせた状態では、ケーシングの四隅の角部分が内部ダクトや排気ダクトの外面に対して外部に突出した状態となっている。
【先行技術文献】
【特許文献】
【０００３】
【特許文献１】特開２００５−２４２１５６号公報
【発明の概要】
【発明が解決しようとする課題】
【０００４】
しかしながら、特許文献１に記載の冷却装置では、ケーシングの四隅の角部分が内部ダクトや排気ダクトの外面に対して外部に突出した状態となっているため、以下に示す問題が生じてしまう。
例えば、特許文献１に記載の冷却装置を、外装筐体における互いに隣接する各側壁部に沿って配設する（外装筐体内部の隅に配設する）場合には、外装筐体における側壁部を略円筒形状の内部ダクトや排気ダクトの外形に合わせることができず、矩形状のケーシングの外形に合わせた形状とする必要がある。
すなわち、ケーシングの四隅の角部分が存在するため、外装筐体における角部分を落とすことができない。
したがって、ケーシングの四隅の角部分の存在により、外装筐体の小型化が図れないとともに、外装筐体の設計の自由度が低減してしまう、という問題がある。
【０００５】
本発明の目的は、外装筐体の小型化が図れるとともに、外装筐体の設計の自由度を向上できるプロジェクターを提供することにある。
【課題を解決するための手段】
【０００６】
本発明のプロジェクターは、外装を構成する外装筐体と、空気を吸入及び吐出する冷却装置とを備えたプロジェクターであって、前記冷却装置は、内部に空気を流通させるダクトと、外周に複数の羽根が一体化され所定の回転軸を中心として回転する羽根車、及び前記羽根車を回転可能に軸支する軸支部材を有するファン本体とを備え、前記軸支部材は、前記回転軸から離間する方向に延び、前記ダクトに取り付けられる複数の腕部を有し、前記羽根車は、前記複数の腕部が前記ダクトに取り付けられることで、前記ダクト内部に配設されることを特徴とする。
【０００７】
本発明では、冷却装置を構成するファン本体は、軸支部材に形成された複数の腕部がダクトに取り付けられることで、羽根車がダクト内部に配設された状態で、ダクトに直接、固定される。このことにより、従来のケーシングを省略し、すなわち、ケーシングの四隅の角部分の存在をなくした冷却装置を構成できる。
また、ダクトとしては、内部に配設された羽根車の回転軌跡（羽根先端部分の回転軌跡）に合わせた略円筒形状を採用できる。
以上のことから、冷却装置を、例えば、外装筐体における互いに隣接する各側壁部に沿って配設する場合であっても、外装筐体における角部分を落とし、外装筐体における側壁部を略円筒形状のダクトの外形に合わせることができる。
したがって、外装筐体の小型化が図れるとともに、外装筐体の設計の自由度を向上でき、本発明の目的を達成できる。
【０００８】
本発明のプロジェクターでは、前記ダクトは、空気の吸入側に配設される吸入側ダクトと、空気の吐出側に配設される吐出側ダクトとを備え、前記複数の腕部は、前記吸入側ダクト及び前記吐出側ダクトに挟持されることが好ましい。
本発明では、複数の腕部がダクトを構成する吸入側ダクト及び吐出側ダクトに挟持されるので、吸入側ダクト及び吐出側ダクトを接続する構造と、ファン本体をダクトに取り付ける構造とを同一の構造で構成できる。すなわち、吸入側ダクト及び吐出側ダクトを接続することで、ファン本体をダクトに取り付けることができ、構造の簡素化が図れるとともに、冷却装置の組立性を向上できる。
【０００９】
本発明のプロジェクターでは、前記冷却装置は、前記外装筐体における互いに隣接する各側壁部に沿って配設されていることが好ましい。
本発明では、冷却装置が外装筐体における互いに隣接する各側壁部に沿って配設されているので、外装筐体における角部分を落として側壁部を略円筒形状のダクトの外形に合わせることができる。このため、外装筐体の小型化が図れるとともに、外装筐体の設計の自由度を向上できるという効果を好適に図れる。
【図面の簡単な説明】
【００１０】
【図１】本実施形態におけるプロジェクターの外観を示す斜視図。
【図２】本実施形態における外装筐体内部に収容される装置本体を模式的に示す図。
【図３】本実施形態における排気装置の構成を示す図。
【図４】本実施形態における排気装置の構成を示す図。
【図５】本実施形態における排気装置の構成を示す図。
【図６】本実施形態におけるファン本体の構成を示す図。
【図７】本実施形態におけるファン本体の構成を示す図。
【発明を実施するための形態】
【００１１】
以下、本発明の実施の一形態を図面に基づいて説明する。
〔外観構成〕
図１は、本実施形態におけるプロジェクター１の外観を示す斜視図である。具体的に、図１は、プロジェクター１を前面側から見た斜視図である。
なお、以下では、説明の便宜上、後述する投射レンズ３６が配置される側を「前面」とし、その反対側を「背面」とする。
プロジェクター１は、画像情報に応じた画像を形成してスクリーン（図示略）上に投射する。このプロジェクター１は、図１に示すように、外装を構成する外装筐体２を備える。
【００１２】
外装筐体２は、プロジェクター１の装置本体を収納する。この外装筐体２は、図１に示すように、鉛直方向に交差する天面部２１及び底面部２２と、前面部２３と、背面部２４と、各側面部２５，２６とを備え、略直方体形状を有する。
この外装筐体２において、前面部２３には、図１に示すように、光学ユニット３の後述する投射レンズ３６から投射された画像を通過させるための画像通過用開口部２３１が形成されている。
また、前面部２３において、画像通過用開口部２３１の左側（前面側から見て左側）には、外装筐体２内部の空気を外部に排出するための排気口２３２が形成されている。
【００１３】
〔内部構成〕
図２は、外装筐体２内部に収容される装置本体を模式的に示す図である。
外装筐体２内部には、図２に示す装置本体が収容されている。そして、この装置本体は、光学ユニット３と、冷却装置としての排気装置４等を備える。
なお、具体的な図示は省略したが、外装筐体２内において、各部材３，４以外の空間には、プロジェクター１内部の各構成部材に電力を供給する電源ユニット、及びプロジェクター１内部の各構成部材を制御する制御装置等が配置されるものとする。
【００１４】
〔光学ユニットの構成〕
光学ユニット３は、前記制御装置による制御の下、画像情報（画像信号）に応じた画像を形成して投射するものであり、図２に示すように、背面部２４に沿って延出するとともに、一端側が前面部２３に向けて延出する平面視略Ｌ字形状を有する。
この光学ユニット３は、図２に示すように、光源ランプ３１１及びリフレクター３１２を有する光源装置３１と、レンズアレイ３２１，３２２、偏光変換素子３２３、及び重畳レンズ３２４を有する照明光学装置３２と、ダイクロイックミラー３３１，３３２、及び反射ミラー３３３を有する色分離光学装置３３と、入射側レンズ３４１、リレーレンズ３４３、及び反射ミラー３４２，３４４を有するリレー光学装置３４と、光変調装置としての３つの液晶パネル３５１、３つの入射側偏光板３５２、３つの射出側偏光板３５３、及び色合成光学装置としてのクロスダイクロイックプリズム３５４を有する光学装置３５と、投射光学装置としての投射レンズ３６とを備える。
そして、光学ユニット３では、上述した構成により、光源装置３１から射出され照明光学装置３２を介した光束は、色分離光学装置３３にてＲ，Ｇ，Ｂの３つの色光に分離される。また、分離された各色光は、各液晶パネル３５１にて画像情報に応じてそれぞれ変調される。変調された各色光は、プリズム３５４にて合成されて画像となり、投射レンズ３６にてスクリーンに投射される。
なお、光学部品３１〜３６については、種々の一般的なプロジェクターの光学系として利用されているため、具体的な説明を省略する。
【００１５】
〔排気装置の構成〕
図３ないし図５は、排気装置４の構成を示す図である。具体的に、図３は排気装置４を前面側から見た斜視図であり、図４は排気装置４を背面側から見た斜視図である。図５は、排気装置４を前面側から見た分解斜視図である。
排気装置４は、外装筐体２内部に滞留する高温空気を、排気口２３２を介して外部に排出する。
この排気装置４は、図２に示すように、光源装置３１の前面側から排気口２３２（図１）に向けて延び、前面側から見て左側の左側面部２５に沿って配設されている。すなわち、排気装置４は、外装筐体２内部において、互いに隣接する側壁部としての天面部２１（底面部２２）及び左側面部２５に沿って配設されている。
そして、排気装置４は、図２ないし図５に示すように、ファン本体５と、ダクト６とを備える。
【００１６】
〔ファン本体の構成〕
図６及び図７は、ファン本体５の構成を示す図である。具体的に、図６はファン本体５を前面側（空気吐出側）から見た斜視図であり、図７はファン本体５を背面側（空気吸入側）から見た斜視図である。
ファン本体５は、羽根車５１の回転軸ＲＡｘに沿って空気を吸入及び吐出する。このファン本体５は、図６及び図７に示すように、羽根車５１と、軸支部材５２とを備える。
羽根車５１は、外周に複数の羽根５１Ａが一体化された有底円筒形状を有し、軸支部材５２に対して回転軸ＲＡｘを中心として回転可能に支持される。
複数の羽根５１Ａは、全て同一の形状を有し、回転軸ＲＡｘを中心とする回転方向に沿って所定のピッチで配設され、羽根車５１の外周から外側に向けて所定の角度でねじれながら突出する。
【００１７】
軸支部材５２は、羽根車５１に対して前面側に配設され、羽根車５１を回転可能に軸支する。
この軸支部材５２は、図６及び図７に示すように、基体５２１と、複数（本実施形態では４つ）の腕部５２２とを備える。
基体５２１は、羽根車５１と同様の平面形状を有する円板形状を有し、羽根車５１の前面側を覆う位置に配置される。
また、具体的な図示は省略したが、基体５２１の背面側の端面の略中心位置には、背面側に突出する円柱形状を有し、羽根車５１を回転可能に軸支する軸部が形成されている。すなわち、前記軸部における柱状軸が回転軸ＲＡｘに相当する。
４つの腕部５２２は、基体５２１の外縁に沿って略均等間隔に設けられ、基体５２１の外縁から突出し、先端部分がダクト６に接続する。
【００１８】
これら腕部５２２において、先端部分には、図６または図７に示すように、４つのネジＳｃ（図３、図５）がそれぞれ挿通される固定用孔５２２１が形成されている。
また、これら腕部５２２において、対角位置に位置する２つの腕部５２２Ａの各先端部分には、図６または図７に示すように、固定用孔５２２１に近接して位置決め用孔５２２２がそれぞれ形成されている。
【００１９】
そして、具体的な図示は省略したが、羽根車５１内周部分には回転軸ＲＡｘを中心とする回転方向に沿って多極に着磁された永久磁石が固定され、前記軸部の外周部分にはコイルや、コイルへの通電により回転軸ＲＡｘを中心とする周方向に沿って多極に着磁されるヨーク等が設けられている。
また、前記軸部の基端部分には、リード線を介して外部から電力が供給され、前記コイルに通電するドライバ回路（回路基板）が配設されている。
そして、ファン本体５は、前記ドライバ回路の制御の下、前記コイルへの通電により着磁された前記ヨークと前記永久磁石との相互作用により、回転軸ＲＡｘを中心として羽根車５１が所定方向に回転する。羽根車５１が回転することで、複数の羽根５１Ａにより、回転軸ＲＡｘに沿って空気が吸入され、吐出される。
【００２０】
〔ダクトの構成〕
ダクト６は、ファン本体５に向けて空気を導くとともに、ファン本体５から吐出された空気を排気口２３２に導く。このダクト６は、図２ないし図５に示すように、吸入側ダクト６１と、吐出側ダクト６２とを備える。
吸入側ダクト６１は、排気装置４における空気の吸入側に配設され、光源装置３１に対向するように位置付けられる。
ここで、吸入側ダクト６１は、上述したように光源装置３１に近接して配設されるため、耐熱性の高い金属等の材料、あるいは、紫外線の照射による劣化を防止するための処理が施された構成を採用することが好ましい。吐出側ダクト６２も吸入側ダクト６１と同様に構成しても構わない。
この吸入側ダクト６１は、図３ないし図５に示すように、ダクト本体６１１と、ランプ用導入部６１２（図４、図５）とが一体的に形成されたものである。
【００２１】
ダクト本体６１１は、図３ないし図５に示すように、前後方向（前面側から背面側に向う方向）に延びる円筒形状を有する。
より具体的に、ダクト本体６１１は、排気装置４を組み立てた状態で、円筒の軸Ａｘ（図５）がファン本体５の回転軸ＲＡｘに略一致する。また、ダクト本体６１１は、円筒の軸Ａｘから内周面までの寸法がファン本体５における回転軸ＲＡｘから各羽根５１Ａの先端までの寸法よりも若干大きい形状を有する。
このダクト本体６１１の背面側の端部６１１１において、背面側から見て左側には、図４に示すように、右側の部分に対して前面側に段落ち形成された段落ち部６１１２が形成されている。
【００２２】
また、ダクト本体６１１の前面側の端部６１１３には、図５に示すように、ファン本体５が取り付けられる４つの設置部６１１４が形成されている。
なお、図５では、４つの設置部６１１４のうち、１つの設置部６１１４（６１１４Ａ）が隠れた位置にあるため、３つの設置部６１１４のみを図示している。
各設置部６１１４は、図５に示すように、ファン本体５における４つの腕部５２２の先端部分の位置及び形状に対応し、前面側の端部６１１３に沿って略均等間隔に設けられるとともに、前面側の端部６１１３の他の部分に対して背面側に段落ち形成された凹形状を有する。
これら設置部６１１４において、底部分には、図５に示すように、各腕部５２２の固定用孔５２２１に対応し、ネジＳｃが螺合するネジ孔６１１５がそれぞれ形成されている。
また、４つの設置部６１１４のうち、２つの腕部５２２Ａに対応する２つの設置部６１１４Ａの底部分には、図５に示すように、２つの腕部５２２Ａの位置決め用孔５２２２に対応し、各位置決め用孔５２２２に嵌合する位置決め突起６１１６がそれぞれ形成されている。
【００２３】
ランプ用導入部６１２は、図４に示すように、ダクト本体６１１に連通する筒形状を有し、段落ち部６１１２から前面側に突設されている。
より具体的に、ランプ用導入部６１２は、円筒形状の軸Ａｘから離間するように（背面側から見て左側に向うように）、段落ち部６１１２から前面側に突設されている。
すなわち、ランプ用導入部６１２は、その先端部分がダクト本体６１１に対して外側（背面側から見て左側）に位置するように設けられている。
【００２４】
また、上述した背面側の端部６１１１の内部、及びランプ用導入部６１２の内部には、図４に示すように、上下方向に架設され、板面が円筒形状の軸Ａｘに交差するように傾斜した整流板６１３，６１４が形成されている。
これら整流板６１３，６１４は、空気を整流する機能のみならず、光源装置３１から漏れ、排気口２３２に向う光を遮光する機能も有するものである。
【００２５】
そして、吸入側ダクト６１は、図４の矢印Ｒ１に示すように、光源装置３１におけるリフレクター３１２の光射出前方側（光源ランプ３１１が配設される空間）の空気をランプ用導入部６１２から導入する。
また、吸入側ダクト６１は、図４の矢印Ｒ２に示すように、光源装置３１におけるリフレクター３１２の光射出後方側の空気をダクト本体６１１における背面側の端部６１１１から導入する。
さらに、吸入側ダクト６１は、図４の矢印Ｒ３に示すように、例えば、前記電源装置が配設される空間等、光源装置３１の配設位置以外の空間の空気を段落ち部６１１２から導入する。
【００２６】
吐出側ダクト６２は、排気装置４における空気の吐出側に配設され、排気口２３２に対向するように位置付けられる。
この吐出側ダクト６２は、図３ないし図５に示すように、前後方向に延びる筒形状を有する。
より具体的に、吐出側ダクト６２は、断面視矩形状の筒体における四隅部分に前後方向に延びる凹条部６２１（図３〜図５）が形成された略円筒形状を有する。
なお、これら凹条部６２１は、吸入側ダクト６１における４つの設置部６１１４に対応した位置に設けられている。
そして、各凹条部６２１の背面側には、図３ないし図５に示すように、外側に向けて張り出した張出部６２１Ａがそれぞれ形成されている。
また、各張出部６２１Ａには、図５に示すように、４つの設置部６１１４における各ネジ孔６１１５に対応して、各ネジＳｃがそれぞれ挿通される固定用孔６２１Ｂがそれぞれ形成されている。
【００２７】
また、吐出側ダクト６２において、各凹条部６２１を除く各側壁部６２２は、図３ないし図５に示すように、前面側に向うにしたがって吐出側ダクト６２内部に傾斜した傾斜部６２２Ａをそれぞれ有している。すなわち、吐出側ダクト６２は、前面側（空気の吐出側）に向うにしたがって、内部の開口面積が小さくなるように形成されている。
【００２８】
以上の構成により、排気装置４は、以下に示すように組み立てられる。
すなわち、吸入側ダクト６１における各位置決め突起６１１６をファン本体５における各位置決め用孔５２２２に嵌合して吸入側ダクト６１に対してファン本体５を位置決めする。
この状態では、４つの腕部５２２の各先端部分が吸入側ダクト６１における凹状の各設置部６１１４に設置されるため、基体５２１における前面側の端面が吸入側ダクト６１における前面側の端部６１１３（各設置部６１１４を除く部分）と略同一位置に位置付けられる。
ここで、図５に示すように、基体５２１における前面側の端面から羽根車５１における背面側の端面までの寸法は、ダクト本体６１１における各端部６１１１，６１１３間の長さ寸法よりも小さい。
このため、上記の状態では、羽根車５１は、ダクト本体６１１内部に収容される。
【００２９】
この後、吐出側ダクト６２の背面側の端部を吸入側ダクト６１における前面側の端部６１１３にあてがい、吐出側ダクト６２における各固定用孔６２１Ｂ、及びファン本体５における各固定用孔５２２１に各ネジＳｃを挿通し、吸入側ダクト６１における各ネジ孔６１１５に螺合する。
この状態では、各設置部６１１４と各張出部６２１Ａとで各腕部５２２の先端部分が挟持されるとともに、吸入側ダクト６１における前面側の端部６１１３と吐出側ダクト６２における背面側の端部とが接続する。
以上のように組み立てられた排気装置４は、ネジ（図示略）により、外装筐体２の底面部２２に固定される。
【００３０】
上述した本実施形態によれば、以下の効果がある。
本実施形態では、排気装置４を構成するファン本体５は、軸支部材５２に形成された４つの腕部５２２がダクト６に取り付けられることで、羽根車５１がダクト６内部に配設された状態で、ダクト６に直接、固定される。このことにより、従来のケーシングを省略し、すなわち、ケーシングの四隅の角部分の存在をなくした排気装置４を構成できる。
また、ダクト６は、内部に配設された羽根車５１の回転軌跡（羽根５１Ａ先端部分の回転軌跡）に合わせた略円筒形状に形成されている。
以上のことから、排気装置４を、外装筐体２における互いに隣接する天面部２１（底面部２２）及び左側面部２５に沿って配設する場合であっても、外装筐体２における角部分を落とし、天面部２１、左側面部２５、及び底面部２２を略円筒形状のダクト６の外形に合わせることができる。
したがって、外装筐体２の小型化が図れるとともに、外装筐体２の設計の自由度を向上できる。
【００３１】
また、４つの腕部５２２は、吸入側ダクト６１及び吐出側ダクト６２に挟持されている。このことにより、吸入側ダクト６１及び吐出側ダクト６２を接続する構造と、ファン本体５をダクト６に取り付ける構造とを同一の構造（ネジＳｃにて締結する構造）で構成できる。すなわち、吸入側ダクト６１及び吐出側ダクト６２を接続することで、ファン本体５をダクト６に取り付けることができ、構造の簡素化が図れるとともに、排気装置４の組立性を向上できる。
【００３２】
さらに、排気装置４が外装筐体２における互いに隣接する天面部２１（底面部２２）及び左側面部２５に沿って配設されているので、外装筐体２における角部分を落として天面部２１、左側面部２５、及び底面部２２を略円筒形状のダクト６の外形に合わせることができる。このため、外装筐体２の小型化が図れるとともに、外装筐体２の設計の自由度を向上できるという効果を好適に図れる。
【００３３】
なお、本発明は前述の実施形態に限定されるものではなく、本発明の目的を達成できる範囲での変形、改良等は本発明に含まれるものである。
前記実施形態では、本発明に係る冷却装置を、外装筐体２内部の空気を外部に排出する排気装置４として構成していたが、これに限らず、例えば、外装筐体２外部の空気を内部に導入する装置として構成しても構わない。
前記実施形態では、排気装置４は、吸入側ダクト６１及び吐出側ダクト６２を有するダクト６を備えていたが、これに限らず、吸入側ダクト６１または吐出側ダクト６２を省略した構成としても構わない。
【００３４】
前記実施形態では、吸入側ダクト６１及び吐出側ダクト６２の双方ともに、所定方向（前後方向）に延びる形状を有していたが、これに限らず、例えば、吸入側ダクト６１及び吐出側ダクト６２の少なくともいずれか一方がＬ字状等に屈曲した形状で構成されていても構わない。
前記実施形態において、排気装置４としては、左側面部２５に沿うように配設する構成に限らず、外装筐体２内部の隅に配設する構成であれば、いずれの位置に配設しても構わない。
【００３５】
前記実施形態において、プロジェクター１は、３つの液晶パネル３５１を備える構成としたが、本発明はこれに限らない。すなわち、２つ以下、あるいは、４つ以上の液晶パネルを用いたプロジェクターにも、本発明を適用可能である。
前記実施形態において、光変調装置としては、透過型の液晶パネルの他、反射型の液晶パネルを採用しても構わない。また、光束を画像情報に応じて変調して画像を形成する光変調装置であれば、他の構成の光変調装置を採用しても構わない。例えば、マイクロミラーを用いたデバイスなど、液晶以外の光変調装置を用いたプロジェクターにも、本発明を適用可能である。このような光変調装置を用いた場合、光束入射側及び光束射出側の偏光板３５２，３５３は省略できる。
前記実施形態では、フロント投射型のプロジェクターの例のみを挙げたが、本発明は、スクリーンを備え、該スクリーンの裏面側から投射を行うリアタイプのプロジェクターにも適用可能である。
【産業上の利用可能性】
【００３６】
本発明のプロジェクターは、外装筐体の小型化が図れるとともに、外装筐体の設計の自由度を向上できるため、プレゼンテーションやホームシアター等に用いられるプロジェクターに利用できる。
【符号の説明】
【００３７】
１・・・プロジェクター、２・・・外装筐体、４・・・排気装置（冷却装置）、６・・・ダクト、２１・・・天面部（側壁部）、２３・・・底面部（側壁部）、２５・・・左側面部（側壁部）、５１・・・羽根車、５１Ａ・・・羽根、５２・・・軸支部材、６１・・・吸入側ダクト、６２・・・吐出側ダクト、５２２・・・腕部、ＲＡｘ・・・回転軸。
【図１】
2010210719.tif 000003
【図２】
2010210719.tif 000004
【図３】
2010210719.tif 000005
【図４】
2010210719.tif 000006
【図５】
2010210719.tif 000007
【図６】
2010210719.tif 000008
【図７】
2010210719.tif 000009